(57)【要約】【課題】従来は、設置する上において新規に開錠装置付きの錠前やＩＣチップ内蔵の鍵を購入する必要があり、導入コストが非常に高くなる上に、錠を機械的に破壊された場合には、暗証コードの認証に関係なく錠前の取付けられた扉は開かれるため、外部装置への制御をおこなうことができない。【解決手段】錠前の鍵孔周辺に取付ける無線または電磁誘導式である非接触の情報カード２０を読み取りする読取部１０と、情報カード２０のデータを確認し正常かどうか判断する判断部１１と、錠前の開錠信号を入力する開錠信号入力部１２と、扉の開状態を検出する開扉信号入力部１７と、開錠信号入力部１２の信号入力および開扉信号入力部１７の開扉信号のいずれかの入力信号と判断部１１からの判断結果とから侵入者かどうかを判定する侵入者検知部１４とを備えた錠前防犯装置。【選択図】図１
2006207216.tif 000002
【特許請求の範囲】
【請求項１】
錠前の鍵孔周辺に取付ける無線または電磁誘導式である非接触の情報カードを読み取りする読取部と、前記情報カードのデータを確認し正常かどうか判断する判断部と、前記錠前の開錠信号を入力する開錠信号入力部と、扉の開状態を検出する開扉信号入力部と、前記開錠信号入力部の信号入力または前記開扉信号入力部の開扉信号のいずれかの入力信号と前記判断部からの判断結果とから侵入者かどうかを判定する侵入者検知部と、鍵の握り部分に貼付けまたは取付け可能な前記情報カードとを備え、
開錠時に開錠信号入力があり前記情報カードの情報が異常または無い場合に侵入者と判定し、または前記読取部や前記錠前が破壊され、前記情報カードの情報が無くさらに開錠信号が無い状態でも錠前のある扉の開扉信号を認識することにより侵入者と判定することを特徴とする錠前防犯装置。
【請求項２】
前記錠前防犯装置において、侵入者検知部で侵入者と判定した場合に、情報カードの読み込みを要請する再読込要請部とを備え、読取部よる再読込をおこない情報カードの読込エラーによる侵入者検知部誤判定を防止することを特徴とする請求項１記載の錠前防犯装置。
【請求項３】
前記錠前防犯装置おいて、情報カードは、非接触ＩＣタグまたは非接触ＩＣカードとすることを特徴とする請求項１から２記載のいずれかに記載の錠前防犯装置。
【請求項４】
前記錠前防犯装置において、情報カードの読取部を扉外側（宅外側）のドアノブもしくは、ドアノブ取付け化粧板の表面に設け、判断部と開錠信号入力部と侵入者検知部を一体構造とし、扉内側（宅内側）に設ける構造としたことを特徴とする請求項１から３記載のいずれかに記載の錠前防犯装置。
【発明の詳細な説明】
【技術分野】
【０００１】
本発明は、無線式または電磁誘導式の非接触の情報カードを利用した錠前防犯装置に関する。
【背景技術】
【０００２】
従来の防犯装置として、図４で示すような開錠装置及びこれを用いた防犯システムがあった（例えば特許文献１）。
【０００３】
この特許文献１の例について図４を用いて説明する。図４において、ＩＣチップ６Ｚが内蔵された鍵（ハイブリッドキー）１０Ｚと、鍵１０Ｚの操作により機械的に開錠される第１の錠と、第１の錠が開錠されたときＩＣチップ６Ｚにアクセスする制御手段７Ｚと、ＩＣチップ６Ｚの暗証コードを読取るセンサー８Ｚ，９Ｚと、制御手段７Ｚからの制御信号により開錠可能な第２の錠とから構成する。
【０００４】
以下に、その動作について説明する。ＩＣチップ６Ｚの内蔵された鍵１０Ｚを鍵孔に挿入し、鍵１０Ｚを回転操作することで、第１の錠が開錠され、鍵１０Ｚが回転することで内蔵されたＩＣチップ６Ｚの暗証コードをセンサー８Ｚ，９Ｚにより読み取る。
【０００５】
制御手段７Ｚは、ＩＣチップ６Ｚに記憶されている暗証コードが予め保持する暗証コードと一致した場合に電子式の第２の錠を開錠させる信号を発信して第２の錠を開錠する。ＩＣチップ１０Ｚとアクセス不能、或いはアクセス可能であるが暗証コードが一致しなかった場合に外部装置となる備え付けの防犯カメラ或いは警報装置或いは予め指定している電話番号に電話をかける装置或いはインターネットを通じて警察或いは警備会社に通報する装置を制御する制御信号を発信する。
【特許文献１】特開２００４−９２２７９号公報
【発明の開示】
【発明が解決しようとする課題】
【０００６】
しかしながら、上述した開錠装置及びこれを用いた防犯システムでは、第１の錠および第２の錠を機械的に破壊された場合には、暗証コードの認証に関係なく錠前の取付けられた扉は開かれるため、外部装置への制御をおこなうことができない。結果的に従来からある機械的な錠と暗証コードによる電子的な錠が扉に２つ設けられたことと同じで、従来からある電子的な錠に暗証コードの不一致時に警報を発するものと同じである。従って第２の錠を機械的に破壊してしまった場合には、第１の錠は従来からある機械的な錠前と同じこととなり、外部装置への制御をおこなうことができない。
【０００７】
また、一般的に鍵本体や錠前は金属製であり、ＩＣチップは金属製品が周辺に覆われるような場合、誤動作や不動作が発生しやすく、鍵孔への鍵を挿入し、ＩＣチップの暗証コードの認証動作を安定的におこなうことは非常に困難であり、誤動作の発生を防止するためには構造的にも大きく、コストも非常に高くなる。
【０００８】
また、第２の錠となるＩＣチップの鍵は、第１の錠の機械的な操作によりＩＣチップの暗証コードを読取るセンサー位置に移動できる。従って第１の錠の開錠が完了して初めて暗証コードの認証がおこなえるため、暗証コード不一致の時に第２の錠を開錠せずに外部装置に制御信号を出力できる。しかし、盗作された合鍵ではＩＣチップが無いため第１の錠は開錠してもセンサーにデータが入力されないため、第２の錠は開錠しないが、第１の錠が開錠した条件を認識する手段が無いため、ＩＣチップが無い鍵であるために暗証コードが読めないのか、鍵が挿入されていないものなのか判断ができない。その結果、ＩＣチップとアクセス不能での判断ができないため、外部装置への制御もおこなうことができない。
【０００９】
また、鍵内部にＩＣチップを内蔵した鍵を鍵孔に挿入し、第１の錠の開錠操作と同時に開錠操作による回転動作でセンサーがＩＣチップの暗証コードを読み出し、制御手段で第２の錠を開錠する。ＩＣチップの暗証コードが不一致な場合に外部装置を制御することで侵入者の特定や撃退といった防犯をおこなうもので、設置する上において新規に開錠装置付きの錠前やＩＣチップ内蔵の鍵を購入する必要があり、導入コストが非常に高くなる。
【００１０】
本発明は、前記従来の課題を解決するもので、情報カードのデータ読取部の独立と錠前の開錠条件および扉の開扉条件により、錠前の破壊や情報カードのデータ無しの場合であっても確実に侵入者の判定ができ、扉の錠前を交換せずに後付けの装置の容易な設置方法で、防犯対策が可能な錠前防犯装置を提供することを目的とする。
【課題を解決するための手段】
【００１１】
上記課題を解決するために、本発明においては、錠前の鍵孔周辺に取付ける無線または電磁誘導式である非接触の情報カードを読み取りする読取部と、前記情報カードのデータを確認し正常かどうか判断する判断部と、前記錠前の開錠信号を入力する開錠信号入力部と、扉の開状態を検出する開扉信号入力部と、前記開錠信号入力部の信号入力または前記開扉信号入力部の開扉信号のいずれかの入力信号と前記判断部からの判断結果とから侵入者かどうかを判定する侵入者検知部と、鍵の握り部分に貼付けまたは取付け可能な前記情報カードとを備えた構成とした。
【００１２】
これによって、開錠時に開錠信号入力があり前記情報カードの情報が異常または無い場合に侵入者と判定し、または読取部や錠前が破壊され、情報カードの情報が無くさらに開錠信号が無い状態でも錠前のある扉の開扉信号を認識することにより侵入者と判定することができる。
【発明の効果】
【００１３】
以上で説明したように、本発明によれば、ピッキングのように開錠された場合や鍵孔から偽造された鍵で開錠した場合であっても居住者でないことが容易に判定できる上に、読取部のみを独立させ、鍵孔のある扉外側に配置し、その他の構成部分を扉内側に配置することができることで、例え、侵入者が読取部を破壊したとしても、開錠信号の入力条件が成立した時に情報カードのデータが無いために侵入者を特定でき、警報音や警報通知をおこなうことができ、確実に防犯予防ができる。
【００１４】
さらに侵入者が錠前までも破壊したとしても、扉を開けることにより開扉信号入力部の開扉信号の入力条件が成立するため、開錠信号の入力条件が成立した時と同じとなり、侵入者を特定し、警報音や警報通知をおこなうことができ、確実に防犯予防ができる。
【００１５】
また、錠前からの開錠信号と扉の開扉信号の入力と分離独立した読取部により、錠前と防犯装置を分離することで、既設の電動式錠前や機械式錠前に対しても鍵孔付近に情報カードの読取部を後付けするだけで防犯性の高い機能が実現でき、錠前および鍵の取替えや扉の交換など大きな設備投資を必要としないなど設置性、経済性に優れている。
【発明を実施するための最良の形態】
【００１６】
第１の発明は、錠前の鍵孔周辺に取付ける無線または電磁誘導式である非接触の情報カードを読み取りする読取部と、前記情報カードのデータを確認し正常かどうか判断する判断部と、前記錠前の開錠信号を入力する開錠信号入力部と、扉の開状態を検出する開扉信号入力部と、前記開錠信号入力部の信号入力または前記開扉信号入力部の開扉信号のいずれかの入力信号と前記判断部からの判断結果とから侵入者かどうかを判定する侵入者検知部と、鍵の握り部分に貼付けまたは取付け可能な前記情報カードとを備えることにより、開錠信号および開扉信号を入力することで、確実に錠前または扉が開かれた条件が明らかになるため、その条件の成立時に情報カードを読取部に操作する一定時間内に情報カードからの情報が入力されないかまたは情報が異常の場合を確実に判断部で判定でき、侵入者と判定することができる。
【００１７】
従って独立した読取部や錠前が破壊された場合でも情報カードの情報が無いことによる異常と開錠信号が無くとも開扉信号を認識することにより侵入者と判定することとなり、既設の電動式錠前や機械式錠前に対しても鍵孔付近に情報カードの読取部を後付けするだけで防犯性の高い機能が実現できる（錠前および鍵の取替えや扉の交換など大きな設備投資を必要としないので設置性、経済性に優れている）。
【００１８】
また、情報カードを鍵の握り部分に貼り付けるかまたは取付けるまたはキーホルダー等でつなぐことや独立した読取部が扉表面に配置することで、金属による影響を抑え、誤動作、不動作を防止することができるうえに、簡単な作業で設置することができ施工性の向上をはかれる。さらに、情報カードの取付けおよび操作方法も自由度を持たせることができる。
【００１９】
第２の発明は、前記防犯装置において、侵入者検知部で侵入者と判定した場合に、情報カードの読み込みを要請する再読込要請部とを備えることにより、情報カードの情報を読取部が誤って読取った場合に侵入者検知部が侵入者と誤判定することを防止するため、一定回数の再読込要求を再読込要請部でおこなうこととなり、誤判定を防止することができる。
【００２０】
第３の発明は、特に、第１〜２の発明のいずれか１つの発明の錠前防犯装置において、情報カードは、非接触ＩＣタグまたは非接触ＩＣカードとすることとなり、接触の必要が無く小型化することが可能となり、鍵への装着が容易で、薄型カードとして利用すれば収納性、操作性も向上し、市販されているＩＣタグまたはＩＣカードを利用すればコストの低減や読取部との距離を離すことができ、情報カードの出し入れの手間を省くという操作性も向上することができる。
【００２１】
第４の発明は、特に、第１〜３の発明のいずれか１つの発明の錠前防犯装置において、情報カードの読取部を扉外側（宅外側）のドアノブもしくは、ドアノブ取付け化粧板の表面に設け、判断部と開錠信号入力部と侵入者検知部とを一体構造とし、扉内側（宅内側）に設ける構造とすることにより、既設の錠前に後付けが可能となり、設置時の施工性の向上および導入コストの抑制が可能で、金属による影響を抑え誤動作または不動作を防止することができる。
【００２２】
以下、本発明の実施の形態について、図面を用いて詳細に説明する。なお、この実施の形態によって本発明が限定されるものではない。
【００２３】
（実施の形態１）
図１および図２は本発明の実施の形態１の錠前防犯装置構成図を示すものである。
【００２４】
図１は錠前防犯装置の構成を示すもので、図２は錠前防犯装置の扉設置時の外観を示すものである。
【００２５】
図１において、１Ａは錠前防犯装置で、２０は鍵２００等に設ける情報カード、３００は錠前の開錠信号（無電圧接点）で、３０１は扉の開扉信号（無電圧接点）、１００は情報カードのデータを処理する読取装置、１０は独立分離したデータを読み取りする読取部、１１は読取ったデータの正否を判断する判断部、１２は錠前の開錠信号３００を入力する開錠信号入力部、１７は扉の開扉信号３０１を入力する開扉信号入力部である。１４は開錠信号入力部１２からの信号と開扉信号入力部１７からの信号と判断部１１の正否結果とから錠前を開錠した者が侵入者であるかどうかを判定する侵入者検知部、１８は侵入者検知部の判定結果が侵入者と判定した場合に、読取部での情報カードでの再読込を一定回数おこなうようにＬＥＤ点灯等で表示し要請する再読込要請部、１５は侵入者検知部１４で侵入者を検出した場合に警報音や照明、フラッシュ等で侵入者を威嚇する警報部、１６は警報部１５の警報をおこなうと同時に侵入者検知したことをホームネットワークを通じて通知する警報通報部で構成する。
【００２６】
ここで、再読込要請部１８の要請方法をＬＥＤの点灯としたが、液晶表示や音声による呼びかけをおこなう方法でもよい。
【００２７】
図２において、１００はドア５００の内側上部に設置した読取装置、１０は鍵孔４０に鍵２００を挿入した際、鍵２００に設けた情報カード２０のデータを読取れるように設けた読取部である。３００は錠前の開錠信号、３０１は扉の開扉信号を示し、４００はドア５００の化粧板内部に収納されている錠前装置、４０は錠前装置４００の鍵孔、４１は開錠時にドア５００を開く際に回転させて引くドアノブ、４２は施開錠の際に錠前装置４００から出し入れされるデッドボルト、５００は錠前装置４００が設けられたドア、５０１はドア５００を収納する扉枠とから構成する。
【００２８】
次に、このような構成の錠前防犯装置の動作、作用について説明する。
【００２９】
図１および図２に示すように、錠前装置４００の鍵孔４０に鍵２００を挿入し、鍵２００に設けられた情報カード２０部分が読取部１０に近接することで、情報カード２０のデータを読取る。さらに判断部１１で、読取部１０で読取られたデータが正しいかどうか内容を確認し判断する。
【００３０】
前記鍵２００を開錠方向に回転させると同時に、デッドボルト４２がドア５００内部に収納され、鍵の開錠信号３００が開錠信号入力部１２に入力される。さらに、ドア５００を扉枠５０１から開けることでドア５００の上部に設けられた開扉信号３０１が開扉信号入力部１７に入力される。
【００３１】
その際、開錠信号入力部１２からの信号と開扉信号入力部１７からの信号と判断部１１の判断結果を侵入者検知部１４に入力し、侵入者検知部１４で開錠信号または開扉信号のいずれかの入力があった場合に、入力前後一定時間内に読取部１０で読まれた情報カード２０のデータが正しい場合に、正常な開錠動作であると判断し、居住者によるものと判定する。
【００３２】
逆に、開錠信号または開扉信号のいずれかの入力があった場合に、入力前後一定時間内に読取部１０で読まれた情報カード２０のデータが間違っているかまたは情報カード２０のデータが無い場合に、異常な開錠動作であると判断し、侵入者によるものと判定する。
【００３３】
侵入者検知部１４で侵入者と判定した場合に、再読込要請部１８がＬＥＤ表示をし、読取部１０で情報カード２０の再読込をおこなうように明示する。その表示により情報カード２０を読取部１０で再読み取りし、判断部１１が正常とした場合に、侵入検知部１４は居住者と判断をおこなうことで誤判定を防止する。逆に再読み取り後も侵入者と判断する場合には、侵入者と断定する。なお、ここでは再読込要請部１８で再読込を１回おこなった説明をしたが任意に回数を決めておこなってもよい。
【００３４】
なお、開錠信号入力部３００と開扉信号入力部３０１をひとつとし、入力する信号の開錠信号３０１と開扉信号３００を直列に接続して入力する方法でも同じである。
【００３５】
なお、侵入者検知部１４で開錠信号と開扉信号のいずれかの入力があった場合に侵入者の判定をおこなうとしたが、両方の入力がある場合におこなってもよい。
【００３６】
ここで、侵入者検知手段１４で侵入者と判断した場合には、侵入者への威嚇をするために警報部１５により警報ブザーや警報ランプ等を動作させることで、侵入者を追い払うとともに警報通報部１５で無線または有線でホームネットワークに接続される機器への通知、携帯電話などへの通知をすることができる。
【００３７】
以上のように、本実施の形態においては、読取部１０を分離独立させることで、例え読取部１０を侵入者により破壊されても、開錠操作により開錠信号入力部１２の信号入力時に情報カード２０からの信号が一定時間内に無いため、侵入者と判定できる。
【００３８】
また、さらに侵入検知部１４の判定条件を開錠信号入力部１２と開扉信号入力部１７のいずれかの信号があった場合に情報カード２０からの信号が異常か無いかを判断することで、例え、読取部１０だけでなく錠前装置４００まで破壊され、開錠信号３００が入力されない状態になったとしても、ドアの開きを検出する開扉信号入力部１７の信号が入力されることにより、侵入者を検出できる。従って、錠前等の破壊行為をおこなっても侵入者の検知が可能となる。
【００３９】
また、開錠信号入力部１２および開扉信号入力１７の信号を入力をすることで、確実に開錠または開扉という侵入行為がおこなわれた場合に限定できるため、情報カード２０からの信号が無い場合における判定の誤動作、誤認識、不動作を防止できる。
【００４０】
鍵２００の開錠動作時に、錠前の開錠信号３００を入力し、同時に鍵２００に設けていた情報カード２０のデータを読取部１０が読取ることにより、正常な開錠動作か異常な開錠動作かを判定することができ、異常時に侵入者によるものと判定することと同時に侵入者に対して威嚇をしたり、警備会社、警察への通報をすることで錠前による防犯をおこなうことができる。なお、ここで侵入者への威嚇を警報ブザーや警報ランプとしたが、威嚇になるものであればこの限りではない。
【００４１】
また、情報カード２０は、鍵２００に小型化され、取付けた状態としたがキーホルダー等で取付ける方法でも良い。また、情報カード２０を鍵２００から分離し、鍵２００で錠前を開錠時に、開錠後一定時間内に読取部１０に読取らせる方法でも良い。
【００４２】
なお、情報カードは、小型化されて、非接触のＩＣとして繰み込まれたＩＣタグやＩＣカードとした場合でも、動作機能は同じで、光や発光色により情報を読取る方法も同じである。また、情報カード２０を読取る読取装置１００を鍵孔４０の近接下部に設けたが、鍵孔４０の横、上部であったり、ドア５００の化粧板内部やドアノブ４１内部の鍵孔４０近傍であっても同じである。
【００４３】
（実施の形態２）
図３は本発明の実施の形態２の錠前防犯システムの構成図を示すものである。
【００４４】
図３において、１Ｂは錠前防犯装置、７００は侵入者を宅内側（ドア５００の内側）から撮影するカメラ装置部、２Ａは宅内のホームネットワークであり無線、有線のどちらでも同じである。６００は宅内とセンター装置３Ａとを公衆回線網またはインターネット網４Ａを介して接続する通信制御装置、６１は錠前防犯装置１Ｂからの侵入者検知の信号をホームネットワーク２Ａを介して受信する警報受信部、６２は警報受信部６１で受信した侵入者検知情報によりセンター装置３Ａへ通知する通知部である。
【００４５】
４Ａは、公衆回線網またはインターネット網、３Ａは通信制御装置６００と通信をおこない、警備会社や警察、居住者の携帯電話へ通知するセンター装置である。また、その他の構成は実施の形態１と同じでなので説明は省略する。
【００４６】
次に、このような構成の錠前防犯システムの動作、作用について説明する。
【００４７】
錠前防犯装置１Ｂの動作は、実施の形態１と同じで、警報通報部１６からホームネットワーク２Ａを介して通信制御装置６００に錠前を開錠したものが侵入者であることを通知する。警報通報部１６からの通知信号によりカメラ撮影部７００を設置した場合には、侵入者を宅内側（ドア５００内側）から撮影し、警報通報部１６から通信制御装置６００に画像データを送る。さらに警報通報部１６からの警報通知および画像データを警報受信部６１で受信した後、通知部６２はセンター装置３Ａに公衆回線網またはインターネット網４Ａを介して通知する。その結果、センター装置３Ａから公衆回線網またはインターネット網４Ａを介して警備会社、警察、居住者の携帯電話等へ通知し、異常状態を知らせる。
【００４８】
また、携帯電話やインターネットに接続されたパソコンからセンター装置３Ａへアクセスし、警報通知時のカメラ画像データの確認をすることができる。
【００４９】
また、例え、錠前装置４００が破壊された場合でも、開扉信号入力部１７の信号検知が可能なため、ドア５００が開いたことによりカメラ撮像部７００が動作し、撮影することができるため、明らかに侵入者がドア５００を開けたことが明白になり、言い逃れできない証拠として扱うことができる。
【００５０】
なお、ここでカメラ撮影部７００としたものは静止画または動画であってもよい。また、カメラ画像の確認は、センター装置３Ａにアクセスして確認するようにしたが、携帯電話等の予め指定しておいたメールアドレスにセンター装置３Ａから送付する方法でもよい。
【００５１】
なお、ここでは情報カードのデータが正しい状態で錠前が開錠された場合以外は侵入者有りと判断し、警報をおこなうまたは通知することとしたが、従来の電気錠のように情報カードのデータが正しく鍵を使用して開錠操作をする以外は開錠しないようにしてもよい。
【産業上の利用可能性】
【００５２】
以上のように、本発明は家庭の玄関ドアに設置されている錠前に簡単な防犯装置を設けることでピッキング対策となり、泥棒や空き巣を防止できるうえに、新設および既設においてもドアや錠前の取替え無しに容易に設置することが可能である。これは一般家庭の錠前防犯装置以外に、ビル、工場等の防犯、セキュリティシステム等の用途にも適用できる。
【図面の簡単な説明】
【００５３】
【図１】本発明の実施の形態１の錠前防犯装置の構成図
【図２】本発明の実施の形態１の錠前防犯装置を設置した構成図
【図３】本発明の実施の形態２の錠前防犯システムの構成図
【図４】従来の実施例における構成図
【符号の説明】
【００５４】
１Ａ、１Ｂ  錠前防犯装置
２Ａ  ホームネットワーク
３Ａ  センター装置
４Ａ  公衆回線網またはインターネット網
１０  読取部
１１  判断部
１２  開錠信号入力部
１４  侵入者検知部
１５  警報部
１６  警報通報部
１７  開扉信号入力部
１８  再読込要請部
２０  情報カード
４０  鍵孔
４１  ドアノブ
６１  警報受信部
６２  通知部
２００  鍵
３００  錠前からの開錠信号
３０１  扉からの開扉信号
６００  通信制御装置
７００  カメラ装置部
【図１】
2006207216.tif 000003
【図２】
2006207216.tif 000004
【図３】
2006207216.tif 000005
【図４】
2006207216.tif 000006